(57)【要約】【課題】  ターンテーブル上の光記録ディスクと光ヘッド機構から出射されるレーザ光の光軸の傾きを調整でき、かつ、装置全体の薄型化を図ることのできる光記録ディスク装置、およびその製造方法を提供すること。【解決手段】  光記録ディスク装置１において、光軸と光記録ディスク７の傾きを調整するには、まず、２本のガイド軸４１、４２をシャーシ６上に固定した後、２本のガイド軸４１、４２上にフレーム３を搭載する。そして、ディスク駆動機構５については、ガイド軸４１、４２を基準に傾き調整を行ってシャーシ６上に搭載する。次に、光ヘッド機構２については、ターンテーブル５３、あるいはガイド軸４１、４２を基準に傾き調整を行い、しかる後に、フレーム３に搭載する。【選択図】      図２
2005038525.tif 000002
【特許請求の範囲】
【請求項１】
光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置において、
前記２本のガイド軸のうちの少なくとも１本のガイド軸は、前記シャーシに対して、光記録ディスクに向かう光軸方向への傾きが調整不能に構成されていることにより、当該シャーシ上における、光記録ディスクに向かう光軸方向への傾きが固定されていることを特徴とする光記録ディスク装置。
【請求項２】
請求項１において、前記光ヘッド機構は、対物レンズを保持するレンズホルダを複数本のワイヤにより少なくともフォーカシング方向およびトラッキング方向に変位可能に支持するワイヤサスペンジョン方式の対物レンズ駆動機構を備えていることを特徴とする光記録ディスク装置。
【請求項３】
請求項１または２において、前記光ヘッド機構は、対物レンズを除く光学系の高さ寸法が前記フレームの厚さ寸法と略等しいことを特徴とする光記録ディスク装置。
【請求項４】
請求項１ないし３のいずれかにおいて、前記光ヘッド機構は、前記光学系を構成する複数の光学素子の一部が光学モジュールとしてモジュール化されていることを特徴とする光記録ディスク装置。
【請求項５】
光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置の製造方法において、
前記２本のガイド軸を前記シャーシ上に固定した後、前記フレームを前記２本のガイド軸上に搭載し、
前記光ヘッド機構については、前記ディスク駆動機構を前記シャーシ上に搭載した後、前記ターンテーブルを基準に傾き調整を行って前記フレームに搭載することを特徴とする光記録ディスク装置の製造方法。
【請求項６】
光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置の製造方法において、
前記２本のガイド軸を前記シャーシ上に固定した後、当該２本のガイド軸上に前記フレームを搭載し、
前記ディスク駆動機構については、前記光ヘッド機構を前記フレームに搭載した後、当該光ヘッド機構を基準に傾き調整を行って前記シャーシに固定することを特徴とする光記録ディスク装置の製造方法。
【請求項７】
光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置の製造方法において、
前記２本のガイド軸を前記シャーシ上に固定した後、当該２本のガイド軸上に前記フレームを搭載し、
前記ディスク駆動機構については、前記ガイド軸を基準に傾き調整を行って前記シャーシ上に搭載し、
前記光ヘッド機構については、前記ターンテーブル、あるいは前記ガイド軸を基準に傾き調整を行って前記フレームに搭載することを特徴とする光記録ディスク装置の製造方法。
【請求項８】
光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置の製造方法において、
前記２本のガイド軸を前記シャーシ上に固定した後、当該２本のガイド軸上に前記フレームを前記２本のガイド軸上に搭載し、
前記光ヘッド機構については、前記ガイド軸を基準に傾き調整を行って前記フレームに搭載し、
前記ディスク駆動機構については、前記光ヘッド機構、あるいは前記ガイド軸を基準に傾き調整を行って前記シャーシに搭載することを特徴とする光記録ディスク装置の製造方法。
【発明の詳細な説明】
【技術分野】
【０００１】
本発明は、ＣＤやＤＶＤなどの光記録ディスクの再生等に用いられる光ディスク装置、およびその製造方法に関するものである。
【背景技術】
【０００２】
ＣＤやＤＶＤなどの光記録ディスクの記録、再生等に用いられる光ディスク装置は、一般に、光源からの出射光を光記録ディスクに収束させる光学系を備えた光ヘッド機構と、この光ヘッド機構が搭載されたフレームと、このフレームを光記録ディスクの半径方向に案内する２本のガイド軸と、光記録ディスクが保持されるターンテーブルを備えたディスク駆動機構と、フレーム、２本のガイド軸、およびディスク駆動機構が搭載されたシャーシとを有している（例えば、特許文献１参照）。
【０００３】
この種の光記録ディスク装置では、光ヘッド機構から出射されるレーザ光を、ターンテーブル上に保持された光記録ディスクに垂直に導いて集光する必要がある。このため、従来は、光ヘッド機構についてはフレームに傾き調整可能に構成され、ディスク駆動機構、および２本のガイド軸についてはシャーシに対して傾き調整可能に構成されている。従って、ディスク駆動機構についてはスピンドルモータの回転軸がシャーシに垂直になるように傾き調整を行った後、シャーシに固定している。また、光ヘッド機構については、フレームに対して傾き調整した後、フレームに固定し、このフレームを２本のガイド軸上に搭載している。そして、最終調整の際、ターンテーブル上で光記録ディスクを回転する一方、光ヘッド機構からレーザ光を出射し、ジッタ特性などが最適となるように、２本のガイド軸の傾きを調整して、光軸の傾きを最終調整している。
【特許文献１】特許第３０００９８４号公報
【発明の開示】
【発明が解決しようとする課題】
【０００４】
しかしながら、従来のように、ターンテーブル上で回転する光記録ディスクとレーザ光の光軸の傾きを調整するのに、シャーシ上で２本のガイド軸の傾きを調整する方法の場合には、２本のガイド軸の傾きを大きく調整可能にしておく必要がある。このため、２本のガイド軸の傾きを調整した際、フレームも大きく傾くため、その分、フレームと、フレームの下側に配置される下カバーとの間に広いスペースを確保する必要があり、光記録ディスク装置を薄型化できないという問題点がある。
【０００５】
以上の問題点に鑑みて、本発明の課題は、ターンテーブル上で回転する光記録ディスクと光ヘッド機構から出射されるレーザ光の光軸の傾きを調整でき、かつ、装置全体の薄型化を図ることのできる光記録ディスク装置、およびその製造方法を提供することにある。
【課題を解決するための手段】
【０００６】
上記の課題を解決するために、本発明では、光源からの出射光を光記録ディスクに収束させる光学系を備えた光ヘッド機構と、該光ヘッド機構が搭載されたフレームと、該フレームを光記録ディスクの半径方向に案内する２本のガイド軸と、光記録ディスクが保持されるターンテーブルを備えたディスク駆動機構と、前記フレーム、前記２本のガイド軸、および前記ディスク駆動機構が搭載されたシャーシとを有する光記録ディスク装置において、前記２本のガイド軸のうちの少なくとも１本のガイド軸は、前記シャーシに対して、光記録ディスクに向かう光軸方向への傾きが調整不能に構成されていることにより、当該シャーシ上における、光記録ディスクに向かう光軸方向への傾きが固定されていることを特徴とする。
【０００７】
本発明において、２本ガイド軸のうちの一方のガイド軸とシャーシとの間には、当該一方のガイド軸の傾きを調整してガイド軸同士の平行度を調整する機構が構成されているが、他方のガイド軸については光軸方向への傾きを調整する機構は構成されていない。また、２本のガイド軸の双方において傾き調整機構が構成されていない場合もある。
【０００８】
このような光記録ディスク装置の製造方法では、前記２本のガイド軸を前記シャーシ上に固定した後、前記フレームを前記２本のガイド軸上に搭載し、前記光ヘッド機構については、前記ディスク駆動機構をシャーシ上に搭載した後、前記ターンテーブルを基準に傾き調整を行って前記フレームに搭載することを特徴とする。
【０００９】
本発明では、光ヘッド機構については、ディスク駆動機構をシャーシ上に搭載した後、ターンテーブルを基準に傾き調整を行ってフレームに搭載する。このため、ターンテーブル上で回転する光記録ディスクと、光ヘッド機構から出射されるレーザ光の光軸との傾きを直接、調整するため、２本のガイド軸の傾き調整が不要である。従って、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【００１０】
本発明の光記録ディスク装置の別の製造方法では、前記２本のガイド軸を前記シャーシ上に固定した後、当該２本のガイド軸上に前記フレームを搭載し、前記ディスク駆動機構については、前記光ヘッド機構を前記フレームに搭載した後、当該光ヘッド機構を基準に傾き調整を行って前記シャーシに固定することを特徴とする。
【００１１】
本発明では、ディスク駆動機構については、光ヘッド機構をフレームを介して２本のガイド軸上に搭載した後、光ヘッド機構を基準に傾き調整を行ってシャーシに搭載する。このため、ターンテーブル上で回転する光記録ディスクと、光ヘッド機構から出射されるレーザ光の光軸との傾きを直接、調整するため、２本のガイド軸の傾き調整が不要である。従って、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【００１２】
本発明の光記録ディスク装置のさらに別の製造方法では、前記２本のガイド軸を前記シャーシ上に固定した後、当該２本のガイド軸上に前記フレームを搭載し、前記ディスク駆動機構については、前記ガイド軸を基準に傾き調整を行って前記シャーシ上に搭載し、前記光ヘッド機構については、前記ターンテーブル、あるいは前記ガイド軸を基準に傾き調整を行って前記フレームに搭載することを特徴とする。
【００１３】
本発明では、ディスク駆動機構については、ガイド軸を基準に傾き調整を行ってシャーシ上に搭載するため、光ヘッド機構については、ターンテーブル、あるいはガイド軸のいずれを基準に傾き調整を行っても、ターンテーブル上で回転する光記録ディスクと、光ヘッド機構から出射されるレーザ光の光軸との傾きを調整できる。従って、２本のガイド軸の傾き調整が不要である。それ故、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【００１４】
また、さらに別の製造方法では、前記２本のガイド軸を前記シャーシ上に固定した後、当該２本のガイド軸上に前記フレームを前記２本のガイド軸上に搭載し、前記光ヘッド機構については、前記ガイド軸を基準に傾き調整を行って前記フレームに搭載し、前記ディスク駆動機構については、前記光ヘッド機構、あるいは前記ガイド軸を基準に傾き調整を行って前記シャーシに搭載することを特徴とする。
【００１５】
本発明では、光ヘッド機構については、ガイド軸を基準に傾き調整を行ってフレーム上に搭載するため、ディスク駆動機構については、ガイド軸、あるいは光ヘッド機構のいずれを基準に傾き調整を行っても、ターンテーブル上で回転する光記録ディスクと、光ヘッド機構から出射されるレーザ光の光軸との傾きを調整できる。従って、２本のガイド軸の傾き調整が不要である。それ故、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【００１６】
本発明において、前記光ヘッド機構は、対物レンズを保持するレンズホルダを複数本のワイヤにより少なくともフォーカシング方向およびトラッキング方向に変位可能に支持するワイヤサスペンジョン方式の対物レンズ駆動機構を備えていることが好ましい。
【００１７】
本発明において、前記光ヘッド機構は、対物レンズを除く光学系の高さ寸法が前記フレームの厚さ寸法と略等しいことが好ましい。
【００１８】
本発明において、前記光ヘッド機構は、前記光学系を構成する複数の光学素子の一部が光学モジュールとしてモジュール化されていることが好ましい。このように構成すると、光学部品個々の光軸調整が不要であるため、光ヘッド装置における光軸調整が容易である。
【発明の効果】
【００１９】
本発明の光記録ディスク装置では、２本のガイド軸の傾き調整を行わなくても、ターンテーブル上で回転する光記録ディスクと、光ヘッド機構から出射されるレーザ光の光軸との傾きを調整できる。それ故、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【発明を実施するための最良の形態】
【００２０】
図面を参照して、本発明を適用した光記録ディスク装置を説明するが、各実施の形態を説明する前に各形態で共通の構成を説明しておく。
【００２１】
［共通の構成］
図１（Ａ）、（Ｂ）はそれぞれ、本発明を適用した光記録ディスク装置の要部の説明図、およびこの光記録ディスク装置に用いたフレームに光ヘッド機構を搭載した状態を示す説明図である。図２は、図１に示す光記録ディスク装置の縦断面を模式的に示す説明図である。図３は、図１に示す光記録ディスク装置に用いた光学モジュールを模式的に示す説明図である。
【００２２】
図１（Ａ）、（Ｂ）、および図２に示すように、本発明を適用した光記録ディスク装置１は、光源からの出射光を光記録ディスク７に収束させる光学系を備えた光ヘッド機構２と、この光ヘッド機構２が搭載されたフレーム３と、このフレーム３を光記録ディスク７の半径方向に案内する２本のガイド軸４１、４２と、光記録ディスク７が保持されるターンテーブル５３を備えたディスク駆動機構５と、フレーム３、２本のガイド軸４１、４２、およびディスク駆動機構５が開口６０内に搭載されたシャーシ６とを有しており、フレーム３、２本のガイド軸４１、４２、およびディスク駆動機構５は、シャーシ６を上下から覆う上カバー６２と下カバー６１との間に配置されている。
【００２３】
フレーム３は、両端に２本のガイド軸４１、４２と係合する軸受部３１、３２が形成されており、その中央領域には、光ヘッド機構２が配置される略矩形の開口３３が形成されている。
【００２４】
２本のガイド軸４１、４２は、両端がシャーシ６に保持されている。これらの２本のガイド軸４１、４２のうち、一方の２本のガイド軸４１（主２本のガイド軸）には雄ネジが形成されいる一方、軸受部３１には、雌ネジが形成されており、２本のガイド軸４１の回転によって、フレーム３は、光記録ディスク７の半径方向に駆動される。
【００２５】
本形態において、２本のガイド軸４１、４２とシャーシ６との間には、２本のガイド軸４１、４２のうちの一方のガイド軸については、ガイド軸同士の平行度を調整するための傾き調整機構は構成されているが、他方のガイド軸には、このような傾き調整機構は構成されていない。また、２本のガイド軸４１、４２の双方において、傾き調整機構が構成されていない場合もある。
【００２６】
光ヘッド機構２は、対物レンズ２１を保持するレンズホルダ２２と、このレンズホルダ２２を複数本のワイヤ２６により、少なくともフォーカシング方向およびトラッキング方向に変位可能に支持するワイヤサスペンジョン方式の対物レンズ駆動機構２０と、光学モジュール２００とを備えている。また、光ヘッド機構２は、レンズホルダ２２をフォーカシング方向およびトラッキング方向に駆動する磁気駆動回路（図示せず）を備えている。
【００２７】
ここで、光ヘッド機構２は、対物レンズ２１を除いたときの高さ寸法は、フレーム３の厚さ寸法と略同等であり、光ヘッド機構２は、フレーム３の開口３３内に完全に収納された状態にある。
【００２８】
ディスク駆動機構５は、スピンドルモータ５１と、このスピンドルモータ５１の回転軸５２に取り付けられたターンテーブル５３と、このターンテーブル５３上に載置されたディスクチャッキング機構５４とを備えており、スピンドルモータ５１がシャーシ６に固定されることにより、ディスク駆動機構５は、シャーシ６上に搭載される。
【００２９】
図３に示すように、光ヘッド機構２に用いた光学モジュール２００は、パッケージ２３１内に、光源ユニット２０６と、この光源ユニット２０６から出射されたレーザ光が光記録ディスク７で反射してきた戻り光を受光する受光素子２０７とが搭載されているとともに、光源ユニット２０６からモジュール外に出射されるレーザ光の光路上、およびモジュール外から入射して受光素子２０７に向かう戻り光の光路上には、複数の光学素子が配置されている。
【００３０】
光源ユニット２０６は、第１および第２のレーザダイオードチップ２６１、２６２と、これらのレーザダイオードチップ２６１、２６２の光軸を合成するプリズム２６３とを備えた２波長光源ユニットである。
【００３１】
第１のレーザダイオードチップ２６１は、ＤＶＤ用の波長６５０ｎｍのレーザ光を出射し、第２のレーザダイオードチップ２６２は、ＣＤ用の波長７８０ｎｍのレーザ光を出射するものであり、第１および第２のレーザダイオードチップ２６１、２６２は、いずれもパッケージに収納されていない小サイズの半導体チップ（半導体素子）の状態で用いられている。
【００３２】
第１および第２のレーザダイオードチップ２６１、２６２は、半導体基板からなるサブマウントに搭載された状態で放熱板２６４に搭載され、同じく放熱板２６４に搭載されているプリズム２６３の隣り合う入射面に対して、それぞれの出射端面を接触させた状態、あるいはサブマウントの前面を接触させた状態にある。これにより、第１および第２のレーザダイオードチップ２６１、２６２とプリズム２６３とが位置合わせされ、かつ、第１および第２のレーザダイオードチップ２６１、２６２同士が位置合わせされるので、プリズム２６３の出射面からは第１および第２のレーザ光Ｌ１、Ｌ２が光軸を合わせて出射されることになる。
【００３３】
プリズム２６３から出射される第１および第２のレーザ光Ｌ１、Ｌ２の光路上、および光記録ディスク７で反射した戻り光ＬＲ１、ＬＲ２が受光素子２０７に入射するまでの光路上には、グレーティング２８１、ハーフミラー２８２および立下げミラー２８３が配置されている。グレーティング２８１は第２のレーザダイオードチップ２６２から出射される波長７８０ｎｍのレーザ光のみを３ビームに分割する波長選択性ホログラム素子である。ハーフミラー２８２は、第１および第２のレーザダイオードチップ２６１、２６２から出射されたレーザ光を反射し、パッケージ２３１の側面に形成されたレーザ出射孔２１０から出射する。また、ハーフミラー２８２は、出射孔２１０から戻ってくる戻り光を透過させて立下げミラー２８３に導く。立下げミラー２８３は、戻り光を受光素子２０７に向けて反射するためのものである。また、パッケージ２３１側面のレーザ出射孔２１０には、コリメートレンズ２０９が装着されている。
【００３４】
ここで、光学モジュール２００には、コリメートレンズ２０９から対物レンズ２１に向かう途中で光軸を折り曲げる立ち上げミラーが搭載されていないが、この立ち上げミラーについては、フレーム３に対して直接、搭載されている。
【００３５】
このように構成した光ディスク装置１では、光ヘッド機構２から出射されるレーザ光を集光しながらターンテーブル５３上に保持された光記録ディスク７に垂直に照射する必要がある。そこで本発明では、以下に説明する各形態が採用されている。
【００３６】
［実施の形態１］
図４（Ａ）〜（Ｄ）はそれぞれ、本発明を適用した光記録ディスク装置の製造方法において、ターンテーブルを基準に光ヘッド装置の傾き調整を行う様子を示す説明図である。
【００３７】
図１（Ａ）および図２において、本形態の光記録ディスク装置１では、光ヘッド機構２を光学モジュール２００や立ち上げミラーなどは、フレーム３に傾き調整した状態で搭載されているが、２本のガイド軸４１、４２は、シャーシ６に対して傾き調整不能に構成されてシャーシ６上における傾きが固定されている。
【００３８】
このような光記録ディスク装置１の製造方法において、光軸と光記録ディスク７の傾きを調整するには、まず、２本のガイド軸４１、４２をシャーシ６上に固定した後、フレーム３を２本のガイド軸４１、４２上に搭載する。また、ディスク駆動機構５もシャーシ６上に搭載する。
【００３９】
そして、光ヘッド機構２については、シャーシ６上に搭載したディスク駆動機構５のターンテーブル５３を基準に傾き調整を行い、しかる後に、フレーム３上に固定する。
【００４０】
それには、まず、図４（Ａ）に示すように、立ち上げミラー２５および光学モジュール２００を各々治具（図示せず）で保持した状態で、各々の最適な位置決めを行い、さらに、立ち上げミラー２５からの出射光軸が垂直になるように調整する。
【００４１】
次に、図４（Ｂ）に示すように、ターンテーブル５３、またはターンテーブル５３上の光記録ディスクに対して、立ち上げミラー２５からの出射光軸が垂直となるように治具を傾けて、立ち上げミラー２５および光学モジュール２００の傾き調整を行う。
【００４２】
次に、図４（Ｃ）に示すように、対物レンズ２１に対する絞り部分（レンズホルダ２２）の調整を行う。
【００４３】
次に、図４（Ｄ）に示すように、対物レンズ２１をレンズホルダ２２に接着固定後、ターンテーブル５３、またはターンテーブル５３上の光記録ディスク７を基準に対物レンズ２１の傾き調整をする。また、立ち上げミラー２５や光学モジュール２００についてもフレーム３上に接着固定する。
【００４４】
このように本形態では、光ヘッド機構２については、ディスク駆動機構５をシャーシ６上に搭載した後、ターンテーブル５３を基準に傾き調整を行ってフレーム３に搭載する。このため、ターンテーブル５３、またはターンテーブル５３上の光記録ディスク７と、光ヘッド機構２から出射されるレーザ光の光軸との傾きを直接、調整するため、２本のガイド軸４１、４２の傾き調整が不要である。従って、下カバー６１とフレーム３との間には、２本のガイド軸４１、４２の傾きを調整した際のフレーム３の変位を確保するための、広い隙間が不要である。それ故、光記録ディスク装置１の薄型化を図ることができる。また、シャーシ６には２本のガイド軸４１、４２の、光記録ディスクに向かう光軸方向への傾き調整機構が不要であるため、シャーシ６の構造を簡略化できる。
【００４５】
［実施の形態２］
図１（Ａ）および図２において、本形態の光記録ディスク装置１では、ディスク駆動機構５は、シャーシ６に傾き調整した状態で搭載されているが、２本のガイド軸４１、４２は、シャーシ６に対して傾き調整不能に構成されてシャーシ６上における傾きが固定されている。
【００４６】
このような光記録ディスク装置１の製造方法において、光軸と光記録ディスク７の傾きを調整するには、まず、２本のガイド軸４１、４２をシャーシ６上に固定した後、２本のガイド軸４１、４２上にフレーム３を搭載する。
【００４７】
次に、フレーム３上に光ヘッド機構２を搭載する。
【００４８】
次に、ディスク駆動機構５については、ターンテーブル５３、またはターンテーブル５３上の光記録ディスク７を、光ヘッド機構２から出射されるレーザ光の光軸を基準に傾き調整を行い、しかる後に、ディスク駆動機構５のスピンドルモータ５１をシャーシ６に固定する。
【００４９】
このように、本形態では、ディスク駆動機構５については、光ヘッド機構２をフレーム３を介して２本のガイド軸４１、４２上に搭載した後、光ヘッド機構２を基準に傾き調整を行ってシャーシ６に搭載する。このため、ターンテーブル５３、またはターンテーブル５３上の光記録ディスク７と、光ヘッド機構２から出射されるレーザ光の光軸との傾きを直接、調整するため、２本のガイド軸４１、４２の傾き調整が不要である。従って、下カバー６１とフレーム３との間には、２本のガイド軸４１、４２の傾きを調整した際のフレーム３の変位を確保するための、広い隙間が不要である。それ故、光記録ディスク装置１の薄型化を図ることができる。また、シャーシ６には２本のガイド軸４１、４２の、光記録ディスクに向かう光軸方向への傾き調整機構が不要であるため、シャーシ６の構造を簡略化できる。
【００５０】
［実施の形態３］
図１（Ａ）および図２において、本形態の光記録ディスク装置１では、光ヘッド機構２は、フレーム３に傾き調整した状態で搭載されているとともに、ディスク駆動機構５は、シャーシ６に傾き調整した状態で搭載されている。これに対して、２本のガイド軸４１、４２は、シャーシ６に対して傾き調整不能に構成されてシャーシ６上における傾きが固定されている。
【００５１】
このような光記録ディスク装置１の製造方法において、光軸と光記録ディスク７の傾きを調整するには、まず、２本のガイド軸４１、４２をシャーシ６上に固定した後、２本のガイド軸４１、４２上にフレーム３を搭載する。
【００５２】
そして、ディスク駆動機構５については、２本のガイド軸４１、４２を基準に傾き調整を行ってシャーシ６上に搭載する。
【００５３】
次に、光ヘッド機構２については、実施の形態１において図４を参照して説明したように、ターンテーブル５３を基準に傾き調整を行い、しかる後にフレーム３に固定する。
【００５４】
ここで、光ヘッド機構２については、２本のガイド軸４１、４２を基準に傾き調整を行い、しかる後にフレーム３に固定してもよい。
【００５５】
このように本形態では、ディスク駆動機構５については、２本のガイド軸４１、４２を基準に傾き調整を行ってシャーシ６上に搭載するため、光ヘッド機構２については、ターンテーブル５３、あるいは２本のガイド軸４１、４２のいずれを基準に傾き調整を行ってターンテーブル５３、またはターンテーブル５３上の光記録ディスク７と、光ヘッド機構２から出射されるレーザ光の光軸との傾きを調整できる。従って、２本のガイド軸４１、４２の傾き調整が不要である。それ故、下カバー６１とフレーム３との間には、２本のガイド軸４１、４２の傾きを調整した際のフレーム３の変位を確保するための、広い隙間が不要である。それ故、光記録ディスク装置１の薄型化を図ることができる。また、シャーシ６には２本のガイド軸４１、４２の、光記録ディスクに向かう光軸方向への傾き調整機構が不要であるため、シャーシ６の構造を簡略化できる。
【００５６】
［実施の形態４］
図１（Ａ）および図２において、本形態の光記録ディスク装置１では、光ヘッド機構２は、フレーム３に傾き調整した状態で搭載されているとともに、ディスク駆動機構５は、前記シャーシ６に傾き調整した状態で搭載されている。これに対して、２本のガイド軸４１、４２は、シャーシ６に対して傾き調整不能に構成されてシャーシ６上における傾きが固定されている。
【００５７】
このような光記録ディスク装置１の製造方法において、光軸と光記録ディスク７の傾きを調整するには、まず、２本のガイド軸４１、４２をシャーシ６上に固定した後、２本のガイド軸４１、４２上にフレーム３を搭載する。
【００５８】
そして、光ヘッド機構２については、２本のガイド軸４１、４２を基準に傾き調整を行ってフレーム３に搭載する。
【００５９】
次に、ディスク駆動機構５については、実施の形態２と同様、光ヘッド機構２を基準に傾き調整を行い、しかる後に、シャーシ６に搭載する。
【００６０】
ここで、ディスク駆動機構５については、２本のガイド軸４１、４２を基準に傾き調整を行い、しかる後にフレーム３に固定してもよい。
【００６１】
このように本形態では、光ヘッド機構２については、２本のガイド軸４１、４２を基準に傾き調整を行ってフレーム３上に搭載するため、ディスク駆動機構５については、２本のガイド軸４１、４２、あるいは光ヘッド機構２のいずれを基準に傾き調整を行ってターンテーブル５３、またはターンテーブル５３上の光記録ディスク７と、光ヘッド機構２から出射されるレーザ光の光軸との傾きを調整できる。従って、２本のガイド軸４１、４２の傾き調整が不要である。それ故、下カバー６１とフレーム３との間には、２本のガイド軸４１、４２の傾きを調整した際のフレーム３の変位を確保するための、広い隙間が不要である。それ故、光記録ディスク装置１の薄型化を図ることができる。また、シャーシ６には２本のガイド軸４１、４２の、光記録ディスクに向かう光軸方向への傾き調整機構が不要であるため、シャーシ６の構造を簡略化できる。
【産業上の利用可能性】
【００６２】
以上説明したように、本発明の光記録ディスク装置では、２本のガイド軸の傾き調整を行わなくても、ターンテーブル上で回転する光記録ディスクと、光ヘッド機構から出射されるレーザ光の光軸との傾きを調整できる。それ故、下カバーとフレームとの間には、２本のガイド軸の傾きを調整した際のフレームの変位を確保するための、広い隙間が不要である。それ故、光記録ディスク装置の薄型化を図ることができる。また、シャーシには２本のガイド軸の、光記録ディスクに向かう光軸方向への傾き調整機構が不要であるため、シャーシの構造を簡略化できる。
【図面の簡単な説明】
【００６３】
【図１】（Ａ）、（Ｂ）はそれぞれ、本発明を適用した光記録ディスク装置の要部の説明図、およびこの光記録ディスク装置に用いたフレームに光ヘッド機構を搭載した状態を示す説明図である。
【図２】図１に示す光記録ディスク装置の縦断面を模式的に示す説明図である。
【図３】図１に示す光記録ディスク装置に用いた光学モジュールを模式的に示す説明図である。
【図４】（Ａ）〜（Ｄ）はそれぞれ、本発明を適用した光記録ディスク装置の製造方法において、ターンテーブルを基準に光ヘッド装置の傾き調整を行う様子を示す説明図である。
【符号の説明】
【００６４】
１  光記録ディスク装置
２  光ヘッド機構
３  フレーム
５  ディスク駆動機構
６  シャーシ
７  光記録ディスク
２０  対物レンズ駆動機構
２１  対物レンズ
２２  レンズホルダ
４１、４２  ２本のガイド軸
５３  ターンテーブル
２００  光学モジュール
【図１】
2005038525.tif 000003
【図２】
2005038525.tif 000004
【図３】
2005038525.tif 000005
【図４】
2005038525.tif 000006